(57)【特許請求の範囲】
【請求項１】
左右一対の前輪及び後輪を支持すると共に、一人の乗員が着座する単座シートと、前記単座シートの下方前方の乗員足乗せフロアと、前記フロアの前方に設けたハンドルの操作により操舵軸を回転させて操舵軸下端部のタイロッドを介して前輪を左右に揺動させる操舵部とを支持するフレームを備えた電動車両において、
前記フロアを、前記前輪より後方に位置しかつ前記左右の前輪の内縁における対向間隔以上の幅を有するメインフロア部と、前記対向間隔より狭小かつメインフロア部より狭小なる幅を有し前記メインフロア部の前方に延設したフロントフロア部とにより構成し、
フレームを、前記メインフロア部の両側部に沿って前後に延びるメインフレーム部と、前記メインフレーム部の前部に前記前輪の対向間隔以下の対向間隔をもって前方上方に延びたフロントフレーム部とにより構成すると共に、前記メインフレーム部は、前記メインフロア部及び単座シートを下方から保持し、前記フロントフレーム部は乗員のハンドルへの操舵操作により回動する操舵軸とこの操舵軸の回動運動を前輪の左右方向に変換する前輪指向機構とを備えた操舵部を保持し、
前記操舵部は、上端部にハンドルを固定してなる操舵軸と、この操舵軸を回動自在に支持する操舵軸支持部と、前記操舵軸の回動運動を前記前輪の指向角を変更する指向運動に変換する前輪指向機構とを備え、
前記操舵軸支持部は、操舵軸の中間部を回動自在に支持する上側操舵軸支持部と、前記操舵軸の下端部を回動自在に支持する下側操舵軸支持部とよりなり、
前記操舵軸は、下端部近傍に左右のタイロッドを連結するタイロッド連結プレートを固定して設け、下端部を円筒状部材で構成した前記下側操舵軸支持部で回動自在に支持し、
前輪の支持機構は、フロントフレームの下方に保持された支持プレート部と、この支持プレート部に固定された左右一対のサスペンションアームブラケットと、このサスペンションアームブラケットによって上下方向に揺動自在に支持されると共に前記前輪を回動自在に支持する左右一対のサスペンションアームとよりなり、
前記前輪指向機構は、各前輪を指向方向及び回動方向において移動自在に支持する左右一対の前輪ブラケットと、操舵軸の下端部に固定された連結プレートと、前記連結プレートと前記各前輪ブラケットにそれぞれ軸着した左右一対のタイロッドとを備え、
前輪の指向方向が直進方向にある時、前記連結プレートと各タイロッドとの軸着部の中心を、前記サスペンションアームの上下方向における揺動中心軸線と一致するようにし、
前記下側操舵軸支持部、前記前輪の支持機構、及び前輪指向機構を前記フロントフレーム部の下方に保持したことを特徴とする電動車両。
【請求項２】
支持プレート部に操舵軸の下端を回動自在に支持する下側操舵軸支持部を設けたことを特徴とする請求項１記載の電動車両。
【請求項３】
下側操舵軸支持部は、操舵軸の下端部を回動自在に支持する円筒部材によって形成されると共に、支持プレートは前記操舵軸と直交するよう後方から前方にかけて斜め上方へと傾斜する傾斜部を有し、前記円筒部材は、その中心軸線が前記傾斜部と直交するよう傾斜部に固定されることを特徴とする請求項２記載の電動車両。
【発明の詳細な説明】
【０００１】
【発明の属する技術分野】
本発明は、左右一対の前輪及び後輪を有する電動車輛に関し、特に一人の乗員のみが乗車する電動車両に関する。
【０００２】
【従来の技術】
足腰の弱った人が移動するときには電動車椅子が利用され、またゴルフ場内での人の移動にはゴルフキャリーが利用されており、一般にこれらの車両はバッテリーを電源とする電動車両である。この種の一人乗り用電動車両の例を図９（斜視図）および図１０（平面図）に示す。
【０００３】
図９、図１０の車両は、前後輪ａ，ｂが二輪づつあり前二輪ａをハンドルｃで操舵する構造になっており、乗員がハンドルｃを握って回動させればハンドルポストｃ１が回転して前輪ａが所望する操舵方向に指向する。
なお、車体の後半部の単座シート（座席）ｄ下にはバッテリーｅが搭載される。このバッテリーｅを電源に後輪ｂは図示しないモータで駆動される。また、バッテリーｅの前方には、搭乗した乗員が足を乗せる矩形の平坦なフロアｇが設けられている。さらに、このフロアｇの前方には、前輪ａが位置し、その前輪の間には、ハンドルポストｃ１を保持すると共にハンドルポストｃ１の回転によって前輪を操舵する操舵機構が介在しており、この操舵機構及び前輪ａは、前記フロアｆの前端部から上方へと立ち上がる半円筒状のフェンダーｈによって覆われている。
【０００４】
【発明が解決しようとする課題】
ところで、上記のような電動車両を電動車椅子、あるいは一人乗り用のゴルフキャリアなどに用いるためには、車両が小型で小回りのきくものであることが重要になる。このため、各部の構成も要求される車両寸法に応じてかなり縮小化されており、フロアｇも最低限の広さに抑えられているのが現状である。
従って、従来のこの種の車両においては、機動性においてはある程度の性能が得られたとしても、足を置くためのフロアが狭いため乗員によっては、つま先がフェンダーｈに当たり、不自然な乗車姿勢をとることを余儀無くされるという問題が生じる。もっとも、フェンダーｈの位置を前方へと移動させれば、フロアを広く設定することも可能ではあるが、その場合には前輪も共に前方へと移動させるか、あるいは前輪を左右方向へと突出させることが必要となり、これでは車両の全長あるいは車幅が増大し、車両の大型化を招くため、機動性の面での問題が生じる。
【０００５】
本発明は、前記従来の問題点を解消するべくなされたものであって、機動性の高い小型な車両寸法を備えると共に、広い面積と高い剛性を有するフロアを備え、乗員が余裕をもって乗車することができる快適性に優れた電動車両の提供を目的とする。
【０００６】
【課題を解決するための手段】
本発明は、前記課題を解決するため次の構成を有する。
すなわち、本願請求項１記載の発明は、左右一対の前輪及び後輪を支持すると共に、一人の乗員が着座する単座シートと、前記単座シートの下方前方の乗員足乗せフロアと、前記フロアの前方に設けたハンドルの操作により操舵軸を回転させて操舵軸下端部のタイロッドを介して前輪を左右に揺動させる操舵部とを支持するフレームを備えた電動車両において、前記フロアを、前記前輪より後方に位置しかつ前記左右の前輪の内縁における対向間隔以上の幅を有するメインフロア部と、前記対向間隔より狭小かつメインフロア部より狭小なる幅を有し前記メインフロア部の前方に延設したフロントフロア部とにより構成し、フレームを、前記メインフロア部の両側部に沿って前後に延びるメインフレーム部と、前記メインフレーム部の前部に前記前輪の対向間隔以下の対向間隔をもって前方上方に延びたフロントフレーム部とにより構成すると共に、前記メインフレーム部は、前記メインフロア部及び単座シートを下方から保持し、前記フロントフレーム部は乗員のハンドルへの操舵操作により回動する操舵軸とこの操舵軸の回動運動を前輪の左右方向に変換する前輪指向機構とを備えた操舵部を保持し、前記操舵部は、上端部にハンドルを固定してなる操舵軸と、この操舵軸を回動自在に支持する操舵軸支持部と、前記操舵軸の回動運動を前記前輪の指向角を変更する指向運動に変換する前輪指向機構とを備え、前記操舵軸支持部は、操舵軸の中間部を回動自在に支持する上側操舵軸支持部と、前記操舵軸の下端部を回動自在に支持する下側操舵軸支持部とよりなり、前記操舵軸は、下端部近傍に左右のタイロッドを連結するタイロッド連結プレートを固定して設け、下端部を円筒状部材で構成した前記下側操舵軸支持部で回動自在に支持し、前記下側操舵軸支持部、前記前輪の支持機構、及び前輪指向機構を前記フロントフレーム部の下方に保持したことを特徴とする電動車両である。
【０００７】
従って、本願請求項１記載の発明においては、メインフロア部の前方にフロントフロア部を延設したため、車両全体の幅を拡大することなく余裕をもって着座することができ、しかもフロントフロア部は前輪の内縁より狭小となる幅に設定されているため、車幅が拡大されることもなく、車両の機動性が損なわれることもない。
また、各フロアはメインフレーム部とフロントフレーム部によって下方から支持されるため、フロア面積が拡大されてもフロアには十分な剛性を得ることができる。
【０００８】
また、本願請求項１記載の発明は、前記操舵部を、上端部にハンドルを固定してなる操舵軸と、この操舵軸を回動自在に支持する操舵軸支持部と、前記操舵軸の回動運動を前記前輪の指向角を変更する指向運動に変換する前輪指向機構とを備え、前記操舵軸支持部は、操舵軸の中間部を回動自在に支持する上側操舵軸支持部と、前記操舵軸の下端部を回動自在に支持する下側操舵軸支持部とよりなり、前記下側操舵軸支持部、前記前輪の支持機構、及び前輪指向機構をフロントフレーム部の下方に保持したものとなっている。
【０００９】
このように、下側操舵軸支持部、前輪支持機構、及び前輪指向機構などがフロントレーム部の下方に保持されるため、これらが、フロントフロア部の設定の妨げとなることはなくなり、フロントフロア部に十分な面積を容易に設定することができる。
【００１０】
また、本願請求項１記載の発明は、前輪の支持機構を、フロントフレームの下方に保持された支持プレート部と、この支持プレート部に固定された左右一対のサスペンションアームブラケットと、このサスペンションアームブラケットによって上下方向に揺動自在に支持されると共に前記前輪を回動自在に支持する左右一対のサスペンションアームとよりなり、前輪指向機構を、各前輪を指向方向及び回動方向において移動自在に支持する左右一対の前輪ブラケットと、操舵軸の下端部に固定された連結プレートと、前記連結プレートと前記各前輪ブラケットとにそれぞれ軸着した左右一対のタイロッドとを備え、前輪の指向方向が直進方向にある時、前記連結プレートと各タイロッドとの軸着部の中心を、前記サスペンションアームの上下方向における揺動中心軸線とを一致するようにしたものとなっている。
【００１１】
この本願請求項１記載の発明において、サスペンションアームが上下に揺動する際には、タイロッドも共に揺動することとなるが、この際、タイロッドの軸着部の中心がサスペンションアームの揺動中心軸線と一致するため、サスペンションアームやアームブラケットに無理な力が加わることはなく、スムーズな揺動が可能となり、良好な耐久性及び寿命を得ることができる。
【００１２】
また、本願請求項２記載の発明においては、請求項１に記載の電動車両において、構成の単純化を図るため、支持プレート部に操舵軸の下端を回動自在に支持する下側操舵軸支持部を設けたものとなっている。
【００１３】
さらに、本願請求項３記載の発明においては、請求項２に記載の電動車両において、下側操舵軸支持部を、操舵軸の下端部を回動自在に支持する円筒部材によって形成すると共に、支持プレートを前記操舵軸と直交するよう後方から前方にかけて斜め上方へと傾斜する傾斜部を有し、かつ前記円筒部材をその中心軸線が前記傾斜部と直交するよう傾斜部に固定するようにしたため、操舵軸の組み付けが容易になると共に、前記円筒部材を溶着する場合などには作業が行い易くなる。
【００１４】
【発明の実施の形態】
以下、図面を参照して本発明の実施の形態を詳細に説明する。
図１は本発明の実施形態に係る電動四輪車の車体構造の全体説明図、図２は側面図、図３は平面図、図４は車体前部の構造を説明する側面図、図５は同斜視図、図６はフレームおよびステアリング部を説明する平面図、図７は図３に示したもののフレームの構造のみを示す平面図、図８は図７に示したものの側面図である。
【００１５】
図１〜図３に示すように、この実施の形態における電動四輪車は、左右一対の前輪１０，１０および後輪１２，１２を有し、車体は主に前部のフロントボディＡと後部のリアボディＢとからなる。リアボディＢには、乗員が一人で着席する単座シート１４が設けられており、これに着席して運転を行う。
【００１６】
また、図４及び図５に示すように、前記電動四輪車は、フロントボディＡの構造として、前輪１０，１０を車両左右または前方に指向させる操舵部（ステアリング部）Ｃを有し、この操舵部Ｃは、乗員のハンドル１６への操舵操作により回動する操舵軸（ステアリングシャフト）６０と、この操舵軸６０を回動可能に車体前部に立設する操舵軸支持部６２と、前記操舵軸６０の回動運動を前記前輪１０，１０の左右または前方向への指向運動に変換する前輪指向機構６４と、操舵軸６０、上側操舵軸支持部６２，下側操舵軸支持部７８ｃ及び前輪指向機構６４等を覆う前カバー（フロントカバー）６６と、前カバー６６を車体に固定するための前カバー支持部６８とを有する。
そして、前記操舵軸支持部６２は、車両のフロントフレーム３２に固定されている。
また、前記カバー支持部６８は、前記操舵軸６０の前方かつ車体中央部に位置して前記操舵軸支持部６２に立設し締着される。そして、前カバー６６は、前記カバー支持部６８の前側に支持固定される。
【００１７】
また、前記車両はその前部に荷物収納籠７０を有しており、この収納籠７０は前カバー６６を挟んで前カバー支持部６８に締着固定される。
さらに、車両のメインフロア２２下部に位置するメインフレーム３４の前端部から、メインフレーム３４より狭小な幅を有するフロントフレーム３２が前方に向けてやや斜め上方に延設されていて、メインフロア２２の前端部中央に前方へ向けて突出するフロントフロア２３を支持しており、操舵軸支持部６２は後方に傾きかつフロントフレーム３２の中央よりも前方位置に溶接固定される。
【００１８】
さらに実施形態を詳細に説明する。
図１〜図３に示すように、電動四輪車の車体前部には、左右の前輪１０，１０のほぼ中央部かつ上方位置に前輪１０，１０操舵用のハンドル（ティラーハンドルタイプ）１６が設けられている。このハンドル１６の下方のフロントボディＡを覆う前記前カバー６６は、前輪１０，１０に挟まれた幅方向中央部は前輪よりも前方に突出して車体前端部を覆い、左右側部は前輪１０，１０を覆うフロントフェンダー（下部がタイヤハウスになる）２０，２０に繋がり、上部はフロントレッグシールド１８が立設して一体に形成されているものである。
【００１９】
また、前記フロントボディＡの左右両側部には、前記前輪１０，１０を覆って上方に突出するほぼ弧状にフロントフェンダー２０，２０がそれぞれ設けられており、前記フロントレッグシールド１８の下部は左右のフロントフェンダー２０，２０の間に位置してかつ前部にはヘッドランプ２１を収容するヘッドランプハウス２１ａが形成される。
また、フロントレッグシールド１８のフロントフェンダー２０，２０に隣接する下部左右には前方かつ内側に向けて抉り込み１８ａが形成されていて、フロントフェンダー２０上部が広く解放されるようになっている。
【００２０】
フロントボディＡにおいて、前輪１０，１０の後方には足載せ部である平坦なメインフロア２２が形成されており、このメインフロア２２は、直進時における左右の前輪の内縁の対向間隔以上の幅を有するものとなっている。また、このメインフロア２２の前方部には、前記メインフロア２２よりも狭小なフロントフロア２２ａが形成されており、前記前輪１０，１０を覆う両フェンダー２０，２０の間に位置している。
なお、メインフロア２２の側縁部はフロントフェンダー２０、２０から後方につらなって山脈状に上方に突出している部分２２ｂが形成されている。この突出部分２２ｂにより乗員はメインフロア２２上から足が外方にずれてしまうのを抑止できる。
【００２１】
また、フロントレッグシールド１８後面側において、前記フロントフロア２３の前縁部から前方は段状に高くなって左右のフロントフェンダー２０，２０の各上部同士と同様位置になっており、かつ、その高くなった部分の車体幅方向中央部には操舵軸６２を後方から覆う操舵軸カバー体７２の下方がやや抉り込まれてほぼ箱状に立設されている。なお、このように操舵軸カバー体７２の下方を抉り込んだ場合には、後面を抉り込まず操舵軸６０と平行する面に形成した場合（図４中、７２’にて示す）に比べて、フロントフロア２３の前後方向における長さを増大させることができ、フロア面積及び足置き空間を大幅に拡大することができる。
【００２２】
リアボディＢはメインフロア２２から後方に位置して、全体がほぼ矩形であり、前部にバッテリーをモータ駆動部２４を収納するケース構造体２６になっている。ケース構造体２６の前部には着脱可能にバッテリー収納部のカバー体２６ａが設けられ、かつ、この構造体２６の後部の車体左右方向側部には、後輪１２，１２を覆うリアフェンダー２８が突出しかつ滑らかに連続して設けられる。前記ケース構造体２６上部には、乗員が腰を掛ける前記単座シート１４が固定あるいは回動可能に取り付けられている。
【００２３】
前記電動四輪車のフロントボディＡおよびリアボディＢ内には車体への応力を支持するフレームが設けられる。このフレームにおいては、図４〜図８に示すように、車体前部に幅狭のＵの字形状をなすフロントフレーム３２が、また、中央部には幅広のＵの字形状のメインフレーム３４が設けられており、何れもパイプ材によって構成されている。前記フロントフレーム３２はＵ字形の基端部分が前方に向きかつ両側部先端が後方に向いて、インフレーム３４の前端部に溶接固定される。
【００２４】
さらに、メインフレーム３４の後部には後方に向けてリアフレーム３６が延びる。そして、前記メインフレーム３２は前記メインフロア２２の両側部及び前端部に沿った形状をなしており、メインフロア２２を下方から保持し、メインフロア２２に十分な剛性が得られるようになっている。なお、メイフレーム３４のＵの字形状で挟まれる部分であってメインフロア２２の下方に位置する部分には、底板３４ｂが溶接固定される。
前記フロントフレーム３２は前記フロントフロア２２ａの両側部に沿った形状をなしており、フロントフロア２２ａを下方から保持し、フロントフロア２２ａにも十分な剛性が得られるようになっている。また、前記フロントフレーム３２及びメインフレーム３４はいずれも単純なＵ字形状をなすものであるため、安価に構成できると共に、高い強度及び剛性を得ることができる。
なお、この実施の形態におけるメインフレーム３４は、その前端部中央が図５の３４ｄに示すように断面長円形状に変形させてあり、その変形部分とその上方に位置するメインフロアとの間に隙間を形成し、その隙間にメインハーネスやブレーキケーブルＣＡを通過させるようになっている。
【００２５】
さらにまた、フロントフレーム３２は、フロントボディＡ前部、前輪１０，１０、操舵軸支持部６２、フロントサスペンションなどを支持している。
すなわち、フロントサスペンションの支持部材として、フロントフレーム３２の前後二箇所には、Ｕ字形状の前輪支持フレーム体７４ｆと７４ｒとがフロントフレーム３２の両側部を連結するよう溶接固定されている。
【００２６】
そして、その支持フレーム体７４ｆと７４ｒの下端部には、左右サスペンションアーム７６の基端部の揺動軸７６ａを揺動自在に軸支する連結部７８ａと、各フレーム体７４ｆおよび７４ｒに架け渡すよう固定した屈曲した帯板材からなる支持プレート部７８ｂと、該プレート部７８ｂの前方部に設けられて操舵軸６０の下端部を回動支持する円筒状部材からなる下側操舵軸支持部７８ｃとが設けられたサスペションアームブラケット７８が溶接により取付け固定される。
【００２７】
また、前記支持プレート部７８ｂには、後方から前方にかけて斜め上方に傾斜する傾斜部７８ｂ１が形成されており、この傾斜部材７８ｂ１上に円筒上をなす前記操舵軸支持部７８ｃをその中心軸線が直交するよう立設固定されており、これが操舵軸６０の中心軸線と一致するように設定されている。すなわち、前記傾斜部７８ｂ１が操舵軸６０の中心軸線と直行するような角度に前記支持プレート部７８ｂは屈曲形成されている。このため、操舵軸６０の組み付け作業を容易に行うことができると共に、操舵軸支持部７８ｃの形状を単純な円筒形状にすることができ、支持プレート部７８ｂへの溶着作業も容易に行うことができるようになる。また、支持プレート部７８ｂの屈曲形状は支持プレート部７８ｂの耐久性を高める上でも有利である。
【００２８】
また、前記サスペンションアーム７６は左右のそれぞれの基端部に揺動軸７６ａが２カ所づつあり先端部が同一箇所に固定された二股形状になっている。そして前記サスペンションアーム７６の先端部には、前輪１０，１０を回動自在にかつ左右に揺動可能に軸支する前輪ブラケット７６ｂが設けられている。
【００２９】
（上側操舵軸支持部６２）
操舵軸６０のフロア上における支持は上側操舵軸支持部６２を介して行われ、この上側操舵軸支持部６２は、図４〜図８に示すように、側方視でＬ字形状に折り曲げられたパイプ材からなり、折り曲げ部分の下辺６２ａ１が前記フロトフレーム３２の前部内側部分に端部を前方に向けて溶接されかつ折り曲げ部分の上辺６２ａ２がフロントフレーム３２にほぼ垂直上方に向いて立設された左右の支持パイプ６２ａ，６２ａと、ほぼ三角形形状を呈した板材であって前方に向けて幅狭になり、該パイプ６２ａの上辺６２ａ２前面部とフロントフレーム３２前端部との間を繋ぐ左右の補強板６２ｂ，６２ｂと、左右の支持パイプ６２ａ，６２ａの上端部同士を繋ぐプレート板６２ｃと、該プレート板６２ｃに後方から締着して該プレート板６２と共に操舵軸６０を軸支するホルダー６２ｄとを有している。
【００３０】
また、前記左右の補強板６２ｂと６２ｂとの間には、ヘッドランプを取り付けるヘッドランプブラケット８４の両端部が固定されると共に、両補強板６２ｂ，６２ｂの上端部が、前カバー支持部のブラケット６８ｂによって連結されている。このため、補強板６２ｂ，６２ｂには両部材８４及び６８ｂによって大きな横剛性が得られる。
【００３１】
また、操舵軸６０は、その中央部であって、前記ホルダー６２ｄ位置よりも上方において程度の角度で折り曲げられるように（チルト可能に）、一方に長穴６０ａを形成して互いに２本のボルト６０ｂで連結され、そのボルト６０ｂのうちの一本の長穴での取付け位置を変えることにより操舵軸６０上部の角度を変えることができるようになっている。
なお、以上の上側操舵軸支持部６２と前記下側操舵軸支持部７８ｃとによって操舵軸全体を支持する操舵軸支持部が構成されている。
【００３２】
（前輪指向機構６４）
この前輪指向機構６４には、各前輪１０，１０を指向方向及び回動方向において移動自在に支持する左右一対の前輪ブラケット７６ｂ，７６ｂと、前記操舵軸の６０の下端部近傍に固定された連結プレート８２と、前記連結プレート８２と前記各前輪ブラケット７６ｂ，７６ｂとにそれぞれ軸着した左右一対のタイロッド８０とが設けられている。そして、乗員のハンドル１６の操作により操舵軸６０が回転し、これにより、前記タイロッド連結プレート８２が揺動するとタイロッド８０を介して前輪ブラケット７６ｂが前輪１０，１０を揺動する。
したがって、ハンドル１６の回転方向に応じて左右の前輪１０，１０がハンドル１６の操舵方向に応じて左右または前方に指向させることができ、乗員の所望方向に電動車両を向けることができる。
【００３３】
サスペンションアーム７６の前輪ブラケット７６ｂ近傍とフェンダー支持フレーム３８中央部との間にはコイルスプリングからなるクッションユニット７６ｃが介装されて、乗り心地および走行安定性向上を図っている。また、この前輪指向機構６４では、前記連結プレート８２と各タイロッド８０との軸着部の中心を、前輪１０，１０が直進方向に指向されている時、前記連結プレート８２と各タイロッド８０，８０の軸着部の中心が前記サスペンションアーム７６の上下方向における揺動中心軸線と一致するようになっている。
このため、前記サスペンションアーム７６が上下に揺動した場合にも、前記揺動軸７６ａやサスペンションアーム７６に無理な力が加わることもなくなり、各部材の耐久性及び寿命の向上を図ることができる。
【００３４】
ここで、フロントフェンダー２０の裏面部には、そのフロントフェンダー２０への荷重を支持するフェンダー支持フレーム３８が配設されている。該支持フレーム３８は、フロントフレーム３２とメインフレーム３４とに溶接固定される。すなわち、図２、図３に示すように、前記支持フレーム３８は、前部３８ａ、中央部３８ｂおよび後部３８ｃからなる。そして、その支持フレーム３８の前端部３８ａ１がフロントフレーム３２の側面部に溶接固定されて前部３８ａが上方に延びかつ前記フェンダー２０と接する位置からフロントフェンダー２０の下面部に沿って後方に延びる。さらに中央部３８ｂで左右方向外側に向けて曲がって前記フェンダー２０の外側端部に至り、後部３８ｃはその外側端部付近からやや内側に向けて曲がって、後端部３８ｃ１がメインフレーム３４の肩部３４ａに溶接固定される。
【００３５】
ここで、図２に示すように、前記フェンダー支持フレーム３８は側面視で全体が下開きのＣの字形状を呈しており、その上部が側面視で前記フェンダー２０の裏面に沿っている。また、前記支持フレームの前部３８ａの上部途中には、フロントサスペンションのクッションユニットの支持部４０が形成される。また、前記支持フレーム中央部３８ｂから後部３８ｃにかけては平面視でＬの字形状を呈して曲がり、前記フェンダー２０上面の足乗せ面部２０ｆに広く対応する形状に形成されている。このように、フェンダー支持フレーム３８を設けたので、前記フロントフェンダー２０の支持剛性が上がる。
【００３６】
また、図３で平面視するように車体ほぼ中央部であってフロントボディＡの後部のメインフロア２２がある。そして、フロントボディＡにおいてメインフロア２２を有する車体中央部は、側縁部が車体前後に比較して抉り込まれるように凹んでいる（凹部４２が形成される）。
【００３７】
すなわち、前輪１０，１０付近のフロントフェンダー２０，２０の側縁部が前輪側車体最大幅Ｔｆに部分になり、また、後輪１２，１２付近リアフェンダー２８，２８の側縁部が後輪側車体最大幅Ｔｒになっており、車体中央部幅Ｔｃは、これらが前輪側車体最大幅Ｔｆおよび後輪側車体最大幅Ｔｒのいずれよりも幅が狭くなっている（Ｔｃ＜Ｔｆ，Ｔｃ＜Ｔｒ）。さらに、車体中央部の最も幅の狭い部分の幅Ｔｃは、前記シート１４の幅Ｔｓとほぼ一致する（Ｔｓ≒Ｔｃ）。  したがって、乗員が電動四輪車に乗車した状態で足を揃えると丁度メインフロア２２からフロントフロア２２ａにかけて足を載せることができる。
【００３８】
【発明の効果】
以上説明した通り本願請求項１記載の発明においては、メインフロア部の前方に前輪の間に延出するフロントフロア部を形成したため、広いフロア面積を得ることができ、乗員が余裕をもって単座シートに着席することができ、しかも各フロアは、フレームによって下面より支持されているため、高い支持剛性を得ることができる。
【００３９】
また、本願請求項１記載の発明は、前記操舵部の下側操舵軸支持部をフロントフレーム部の下方に保持し、前輪支持機構及び前輪指向機構などをフロントレーム部の下方に保持したため、前記機構がフロントフロア部の設定において妨げとなることはなくなり、フロントフロア部に十分な面積を容易に設定することができる。
【００４０】
また、本願請求項１記載の発明は、前輪支持機構において、前輪の指向方向が直進方向にある時、前記連結プレートと各タイロッドとの軸着部の中心を、前記サスペンションアームの上下方向における揺動中心軸線と一致させるようにしたものとなっているため、サスペンションアームの揺動時においてタイロッドに無理な力が加わることはなく、タイロッドの耐久性及び寿命を向上させることができる。
【００４１】
また、本願請求項２記載の発明においては、支持プレート部に操舵軸の下端を回動自在に支持する下側操舵軸支持部を設けたものとなっているため、構造の単純化を図ることができる。
【００４２】
さらに、本願請求項３記載の発明においては、操舵軸の中心軸線と直交するよう支持プレートの傾斜面を形成すると共にこの傾斜面にこれと直交するよう円筒部材を固定し、この円筒部材を操舵軸の下端部を回動自在に支持する下側操舵軸支持部としたため、容易に操舵軸を容易に組みつけることができると共に、前記円筒部材を溶着する場合などには作業を容易に行うことができる。
【図面の簡単な説明】
【図１】本発明の１実施形態に係る電動四輪車の車体構造の全体説明図である。
【図２】電動四輪車の側面図である。
【図３】電動四輪車の平面図である。
【図４】電動四輪車の車体前部の構造説明をする側面図である。
【図５】電動四輪車の車体前部の斜視図である。
【図６】電動四輪車のフレームおよびステアリング部を説明する平面図である。
【図７】電動四輪車のフレームの構造のみを示す平面図である。
【図８】図７に示したもの側面図である。
【図９】従来の電動四輪車を示す斜視図である。
【図１０】従来の電動四輪車の平面図である。
【符号の説明】
１０，１０  前輪
１２，１２  後輪
１４  単座シート
２２  メインフロア
２２ａ  フロントフロア
２３  フロントフロア
３２  フロントフレーム
３４  メインフレーム
Ｃ  操舵部
６０  操舵軸
６２  操舵軸支持部
６２ａ  上側操舵軸支持部
６４  前輪指向機構
７６  サスペンションアーム（前輪の支持部）
７６ｂ  前輪ブラケット
７８ｂ  支持プレート
７８ｂ１  傾斜部
７８ｃ  下側操舵軸支持部
８０  タイロッド
８２  連結プレート
【図１】
0003622342.tif 000002
【図２】
0003622342.tif 000003
【図３】
0003622342.tif 000004
【図４】
0003622342.tif 000005
【図５】
0003622342.tif 000006
【図６】
0003622342.tif 000007
【図７】
0003622342.tif 000008
【図８】
0003622342.tif 000009
【図９】
0003622342.tif 000010
【図１０】
0003622342.tif 000011